(57)【要約】【課題】撮影した瞬間の感想や感動、臨場感を損なわずに画像にテキストを付加できる画像共有システム等を提供する。【解決手段】情報端末１は、マイクから音声が入力されると、音声をテキストに変換し、カメラで撮影した画像に付加する。情報端末１は、画像と付加したテキストとをサーバ３に送信する。サーバ３は、情報端末１から受信した画像とテキストを画像DBに記録する。画像DBに記録された画像とテキストは、異なる情報端末１からの閲覧要求に応じて当該情報端末１に送信する。【選択図】図５
2019053533.tif 000002
【特許請求の範囲】
【請求項１】
複数の情報端末と、サーバとを有する画像共有システムであって、
前記情報端末は、
画像を撮影するカメラと、
音声の入力を受付けるマイクと、
撮影した画像に前記音声または前記音声を変換して得られたテキストを付加情報として付加して前記サーバに送信する送信手段と、
を有し、
前記サーバは、
前記画像を記録するとともに、前記音声を変換して得られたテキストを前記画像の付加情報として記録する記録手段と、
前記画像と前記テキストを、前記画像の送信元の前記情報端末とは異なる前記情報端末に送信する送信手段と、
を備えることを特徴とする画像共有システム。
【請求項２】
前記情報端末は前記音声をテキストに変換する変換手段を有し、
前記情報端末の送信手段は、前記画像と前記テキストを前記サーバに送信することを特徴とする請求項１に記載の画像共有システム。
【請求項３】
前記情報端末は、前記画像と前記テキストをともに表示することを特徴とする請求項２に記載の画像共有システム。
【請求項４】
前記情報端末は、複数の前記画像および当該画像に付加されたテキストを所定のレイアウトで配置したレイアウトデータを作成することを特徴とする請求項２または請求項３に記載の画像共有システム。
【請求項５】
前記情報端末は、１度の音声入力により複数の画像に対し同じ前記テキストを設定可能であることを特徴とする請求項２から請求項４のいずれかに記載の画像共有システム。
【請求項６】
複数の情報端末とネットワークを介して接続されたサーバであって、
画像と、前記画像に付加情報として付加された音声または音声を変換して得られたテキストと、を前記情報端末から受信する受信手段と、
前記画像を記録するとともに、前記音声を変換して得られたテキストを前記画像の付加情報として記録する記録手段と、
前記画像と前記テキストを、前記画像の送信元の前記情報端末とは異なる前記情報端末に送信する送信手段と、
を有することを特徴とするサーバ。
【請求項７】
サーバにネットワークを介して接続された情報端末であって、
画像を撮影するカメラと、
音声の入力を受付けるマイクと、
撮影した画像に前記音声または前記音声を変換して得られたテキストを付加情報として付加して前記サーバに送信する送信手段と、
異なる前記情報端末から前記サーバに送信された画像と、当該画像に付加情報として付加されたテキストとを、前記サーバから受信する受信手段と、
を備えることを特徴とする情報端末。
【請求項８】
複数の情報端末とネットワークを介して接続されたサーバを、
画像と、前記画像に付加情報として付加された音声または音声を変換して得られたテキストと、を前記情報端末から受信する受信手段と、
前記画像を記録するとともに、前記音声を変換して得られたテキストを前記画像の付加情報として記録する記録手段と、
前記画像と前記テキストを、前記画像の送信元の前記情報端末とは異なる前記情報端末に送信する送信手段と、
として機能させるためのプログラム。
【請求項９】
画像を撮影するカメラと、音声の入力を受付けるマイクと、を有し、サーバにネットワークを介して接続された情報端末を、
撮影した画像に前記音声または前記音声を変換して得られたテキストを付加情報として付加して前記サーバに送信する送信手段と、
異なる前記情報端末から前記サーバに送信された画像と、当該画像に付加情報として付加されたテキストとを、前記サーバから受信する受信手段と、
として機能させるためのプログラム。
【発明の詳細な説明】
【技術分野】
【０００１】
本発明は、SNS(Social Network Service)サービスなどにおける画像共有システム等に関する。
【背景技術】
【０００２】
近年、スマートフォン等の情報端末で撮影した画像をネットワークを介して公開したり、登録ユーザ間で共有したりするSNSサービスが提供されている。
【０００３】
この種のサービスでは、投稿画像に説明文やコメント等のテキストを付加する機能も提供され、利用されている。しかし、こうしたテキストの付加は、画像ごとに手入力で行われているため、入力作業に時間がかかり、写真を撮影した瞬間の感想や感動、臨場感が損なわれる虞があった。
【０００４】
一方、特許文献１には、音声を入力し、テキストに変換して画像に付加する電子アルバム編集装置が開示されている。この電子アルバム編集装置は、例えば結婚式等で撮影した画像に対して「おめでとうございます」という音声のコメントを入力すると、その場でテキストデータに変換して画像に合成するもので、テキストの手入力が不要になる。
【先行技術文献】
【特許文献】
【０００５】
【特許文献１】特許第4240867号公報
【発明の概要】
【発明が解決しようとする課題】
【０００６】
しかしながら、上述の特許文献１の電子アルバム編集装置は、作成した電子アルバムを印刷または記録媒体へ記録することを前提とするものであるため、SNSサービスのように画像を共有する際にそのまま適用できるものではなかった。
【０００７】
本発明は、このような課題に鑑みてなされたもので、撮影した瞬間の感想や感動、臨場感を損なわずに画像にテキストを付加できる画像共有システム等を提供することを目的とする。
【課題を解決するための手段】
【０００８】
前述した課題を解決するための第１の発明は、複数の情報端末と、サーバとを有する画像共有システムであって、前記情報端末は、画像を撮影するカメラと、音声の入力を受付けるマイクと、撮影した画像に前記音声または前記音声を変換して得られたテキストを付加情報として付加して前記サーバに送信する送信手段と、を有し、前記サーバは、前記画像を記録するとともに、前記音声を変換して得られたテキストを前記画像の付加情報として記録する記録手段と、前記画像と前記テキストを、前記画像の送信元の前記情報端末とは異なる前記情報端末に送信する送信手段と、を備えることを特徴とする画像共有システムである。
【０００９】
本発明によれば、ユーザは情報端末にて撮影した画像に対し音声を入力することで音声またはこれを変換して得られたテキストを画像に付加でき、サーバは、音声から得られたテキストを画像とともに他のユーザに提供できる。本発明では、入力された音声がテキストに変換されて画像に付加されるためテキストの手入力が不要となり、ユーザは、撮影した瞬間の新鮮な感想や感動、臨場感をダイレクトに表したテキストを画像に付加し、ネットワークを介して他のユーザに閲覧させることができる。
【００１０】
前記情報端末は前記音声をテキストに変換する変換手段を有し、前記情報端末の送信手段は、前記画像と前記テキストを前記サーバに送信することが望ましい。
情報端末側で音声のテキスト変換を行うことで、変換されたテキストの誤り等をユーザが修正することが可能になる。
【００１１】
前記情報端末は、前記画像と前記テキストをともに表示する。
このように、テキストは画像の説明文や感想などとして画像とともに表示される。
【００１２】
前記情報端末は、複数の前記画像および当該画像に付加されたテキストを所定のレイアウトで配置したレイアウトデータを作成することが望ましい。
これにより、複数の画像をフォトブックのように１つの画面で表示することができる。
【００１３】
また、前記情報端末は、１度の音声入力により複数の画像に対し同じ前記テキストを設定可能であることが望ましい。
これにより、複数の画像に対してテキストを一括して付加することが可能となり、例えば旅行中に撮影した複数の画像に対し同じ説明等を付加できる。
【００１４】
第２の発明は、複数の情報端末とネットワークを介して接続されたサーバであって、画像と、前記画像に付加情報として付加された音声または音声を変換して得られたテキストと、を前記情報端末から受信する受信手段と、前記画像を記録するとともに、前記音声を変換して得られたテキストを前記画像の付加情報として記録する記録手段と、前記画像と前記テキストを、前記画像の送信元の前記情報端末とは異なる前記情報端末に送信する送信手段と、を有することを特徴とするサーバである。
【００１５】
第３の発明は、サーバにネットワークを介して接続された情報端末であって、画像を撮影するカメラと、音声の入力を受付けるマイクと、撮影した画像に前記音声または前記音声を変換して得られたテキストを付加情報として付加して前記サーバに送信する送信手段と、異なる前記情報端末から前記サーバに送信された画像と、当該画像に付加情報として付加されたテキストとを、前記サーバから受信する受信手段と、を備えることを特徴とする情報端末である。
【００１６】
第４の発明は、複数の情報端末とネットワークを介して接続されたサーバを、画像と、前記画像に付加情報として付加された音声または音声を変換して得られたテキストと、を前記情報端末から受信する受信手段と、前記画像を記録するとともに、前記音声を変換して得られたテキストを前記画像の付加情報として記録する記録手段と、前記画像と前記テキストを、前記画像の送信元の前記情報端末とは異なる前記情報端末に送信する送信手段と、として機能させるためのプログラムである。
【００１７】
第５の発明は、画像を撮影するカメラと、音声の入力を受付けるマイクと、を有し、サーバにネットワークを介して接続された情報端末を、撮影した画像に前記音声または前記音声を変換して得られたテキストを付加情報として付加して前記サーバに送信する送信手段と、異なる前記情報端末から前記サーバに送信された画像と、当該画像に付加情報として付加されたテキストとを、前記サーバから受信する受信手段と、として機能させるためのプログラムである。
【発明の効果】
【００１８】
本発明により、撮影した瞬間の感想や感動、臨場感を損なわずに画像にテキストを付加できる画像共有システム等を提供できる。
【図面の簡単な説明】
【００１９】
【図１】画像共有システム１０を示す図。
【図２】情報端末１のハードウェア構成を示す図。
【図３】サーバ３のハードウェア構成を示す図。
【図４】画像データ領域５１と付加情報領域５２を示す図。
【図５】画像共有システム１０における処理の流れを説明するフローチャート。
【図６】表示部１３の表示画面の例。
【図７】表示部１３の表示画面の例。
【図８】表示部１３の表示画面の例。
【図９】表示部１３の表示画面の例。
【図１０】画像共有システム１０における処理の流れを説明するフローチャート。
【図１１】表示部１３の表示画面の例。
【図１２】コメント８０の記録について説明する図。
【図１３】表示部１３の表示画面の例。
【図１４】複数の画像６３とテキスト６５をレイアウトした例。
【発明を実施するための形態】
【００２０】
以下、図面に基づいて本発明の実施形態を詳細に説明する。
【００２１】
［第１の実施形態］
図１は、本発明の実施形態に係る画像共有システム１０の構成を示す図である。
【００２２】
図１に示すように、画像共有システム１０は、複数の情報端末１とSNSサーバ３（以下、単にサーバ３という）とがネットワーク８を介して通信可能に接続されて構成される。ネットワーク８は有線、無線を問わない。
【００２３】
情報端末１はユーザの所持するコンピュータ端末であり、例えばスマートフォンやタブレット端末等の携帯端末などである。
【００２４】
図２は情報端末１のハードウェア構成を示す図である。図２に示すように、情報端末１は、制御部１１、記憶部１２、表示部１３、入力部１４、通信制御部１５、カメラ１６、マイク１７、スピーカー１８等をバス等により接続して構成される。ただしこれに限ることは無く、適宜様々な構成をとることができる。
【００２５】
制御部１１はCPU、ROM、RAMなどから構成される。CPUは、記憶部１２、ROMなどの記憶媒体に格納された情報端末１の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部１２、ROMなどからロードしたプログラムやデータを一時的に保持するとともに、制御部１１が各種処理を行うために使用するワークエリアを備える。
【００２６】
記憶部１２はフラッシュメモリ等であり、制御部１１が実行するプログラム、プログラム実行に必要なデータ、OSなどが格納される。これらのプログラムやデータは、制御部１１により必要に応じて読み出され実行される。
【００２７】
本実施形態では、後述する処理を情報端末１に実行させるために必要なアプリケーションプログラムその他のプログラムやデータが記憶部１２に格納される。これらのプログラム及びデータは、例えばサーバ３からダウンロードすることができる。
【００２８】
表示部１３は例えば液晶ディスプレイ等である。
入力部１４は情報端末１に各種の設定入力を行うものであり、本実施形態では例えば表示部１３に設けられたタッチパネルである。
通信制御部１５はネットワーク等を介した通信を媒介する通信インタフェースであり、サーバ３等との間で通信を行う。
【００２９】
カメラ１６は、光学レンズ、CCD（Charge Coupled Device）やCMOS（Complementary Metal-Oxide Semiconductor）等の撮像素子、A/D（Analog/Digital）変換部等から構成される。カメラ１６は、光学レンズを介して入力された被写体像を撮像素子により光電変換し、アナログ画像信号を生成する。そして、A/D変換部によりアナログ画像信号をデジタル画像データに変換する。
【００３０】
マイク１７は、入力された音声をA/D変換部によりデジタル音声データに変換する。デジタル音声データは、後述するようにテキストに変換される。
スピーカー１８は、デジタル音声データを音声として出力するものである。
【００３１】
サーバ３は、情報端末１から受信した画像等の記録、異なる情報端末１への画像等の送信、ユーザ情報の登録・管理等の処理をSNSサーバとして実行する。
【００３２】
図３はサーバ３のハードウェア構成を示す図である。サーバ３は、例えば制御部３１、記憶部３２、表示部３３、入力部３４、通信制御部３５等をバス等により接続して構成したコンピュータにより実現できる。但しこれに限ることなく、適宜様々な構成をとることができる。
【００３３】
制御部３１、記憶部３２、表示部３３、通信制御部３５は前記した制御部１１、記憶部１２、表示部１３、通信制御部１５と略同様である。また入力部３４はキーボード、マウス等の入力装置を含む。
【００３４】
本実施形態において、サーバ３は、ユーザDB（データベース）３０１、画像DB３０２、コメントDB３０３等を記憶部３２に備える。
【００３５】
ユーザDB３０１は、画像共有システム１０の登録ユーザの情報であるユーザ情報を記憶する。ユーザ情報は、登録ユーザの氏名、属性（性別、年齢）、メールアドレス、ユーザID、ユーザ設定等が含まれる。
【００３６】
画像DB３０２は、情報端末１から送信された画像等を記憶する。図４に示すように、画像DB３０２では、画像が画像データ領域５１に記録されるとともに、テキスト、音声、画像ID、ユーザID、画像の撮影日時等のデータが画像の付加情報として付加情報領域５２に記録され、これらが紐付けられる。
【００３７】
コメントDB３０３は、画像に対して投稿されたコメントを記憶する。
【００３８】
画像共有システム１０は、ネットワーク８を介して別の事業者のSNSサーバ９と連携させることも可能である。SNSサーバ９はサーバ３と同様の制御部、記憶部、表示部、入力部、通信制御部等を有する。
【００３９】
（２．画像共有システム１０における処理）
次に、画像共有システム１０において実行される処理の流れを説明する。
【００４０】
（２−１．画像の撮影と投稿）
図５は画像共有システム１０における処理の流れを説明するフローチャートであり、画像の撮影から投稿までの流れを示す。図５のＳ１１〜Ｓ１６は情報端末１の制御部１１が実行し、Ｓ１７、Ｓ１８はサーバ３の制御部３１が実行する処理である。
【００４１】
本実施形態では、ユーザの操作に応じて情報端末１がアプリケーションを起動し（Ｓ１１）、図６（ａ）に示す画面を表示部１３に表示する。画面には、画像表示領域４０と、シャッターボタン４１、マイクボタン４２、停止ボタン４３、保存ボタン４４等が表示された操作領域が設けられる。図６（ａ）ではカメラ１６で現在捉えている画像が画像表示領域４０に表示されている。
【００４２】
画面上でシャッターボタン４１が選択されると、情報端末１はカメラ１６による撮影を行う（Ｓ１２）。図６（ｂ）に示すように、画像表示領域４０には撮影された画像６３が表示される。
【００４３】
ユーザが画面上でマイクボタン４２を選択すると、情報端末１はマイク１７から音声の入力を受付け、録音を行う（Ｓ１３）。停止ボタン４３がユーザにより選択されるか、或いは予め定められた制限時間が経過すると、録音は終了する。
【００４４】
録音中は、図６（ｂ）に示すように操作領域に音声バー４５が表示される。音声バー４５は、全体の長さが制限時間を示し、マーカー（バー上の丸部分）の位置が録音中の時間経過を示すものである。
【００４５】
録音が終了すると、情報端末１は入力された音声をテキストに変換する（Ｓ１４；変換手段）。テキストは図６（ｃ）に示すように画面上に表示される。図６（ｃ）の例では画像６３内にテキスト６５を配置しているが、テキスト６５の配置は特に限定されない。また、音声からテキストへの変換は、多言語に対応できるようにしておくことが望ましい。
【００４６】
なお、テキストの変換候補がある場合は、例えば図７に示すように、テキストの変換候補６６を画面中に配置し、変換候補６６が選択されるとテキスト６５として表示されるようにしてもよい。図７の例では変換候補６６が画面内の操作領域に配置されるが、変換候補６６の配置は特に限定されない。
【００４７】
その後、ユーザは画面上で保存ボタン４４を選択する。情報端末１は、保存ボタン４４が選択されると、撮影した画像６３にテキスト６５（付加情報）を付加して記憶部１２に記録する（Ｓ１５）。画像６３にテキスト６５を付加する方法は特に限定されない。テキスト６５を画像６３内に配置して（埋め込んで）もよいし、画像６３とテキスト６５を紐付けて別々に記録してもよい。また、テキスト６５の基となった音声や画像６３の撮影日時等のデータも、付加情報として画像６３に紐付けて記録される。
【００４８】
以上の手順により、撮影した画像６３にテキスト６５が付加されて記憶部１２への記録が行われる。この画像６３はテキスト６５とともに情報端末１の表示部１３に表示することができる。図８はこの時の表示画面の例であり、図８（ａ）は画像６３にテキスト６５が埋め込まれている場合、図８（ｂ）は画像６３とテキスト６５が別々に記録されている場合の例である。後者では画像６３とテキスト６５が所定のレイアウトで配置され、本実施形態では画像６３の近傍にテキスト６５が表示される。このレイアウトは適宜設定することが可能である。なお、音声を入力せずに画像６３の記録だけを行うことも可能であり、この場合は図８（ａ）と同様の形で画像６３のみを表示させた後、マイクボタン４２を選択し、以下Ｓ１３〜Ｓ１５と同様の処理を行うことにより改めて画像６３にテキスト６５を付加情報として付加し、記憶部１２に記録できる。
【００４９】
また、本実施形態では１回撮影を行うごとにその画像６３に対してテキスト６５を付加するが、１度の音声入力により複数枚の画像６３に対し同じテキスト６５を設定することも可能である。
【００５０】
例えば図８（ａ）、（ｂ）等の画面にサムネイル画像表示ボタン（不図示）を設け、これが選択されると図９に示すように画像表示領域４０に撮影済みの複数の画像６３をサムネイル画像で一覧表示させ、テキストを付加する画像６３を選択できるようにする。テキストを付加する画像６３を選択し、先程と同様に音声入力とテキスト変換を行うことで、複数の画像６３に対し同じテキスト６５を一括して設定できる。保存ボタン４４を選択することで、各画像６３にテキスト６５を付加して記録することが可能である。
【００５１】
フローチャートの説明に戻る。情報端末１は、ユーザの操作に応じて画像６３とこれに付加情報として付加されたテキスト６５をサーバ３に送信（投稿）する（Ｓ１６；送信手段）。画像６３の付加情報としては、テキスト６５のほか、テキスト６５の基となる音声や画像６３の撮影日時、ユーザＩＤなどのデータも送信される。
【００５２】
サーバ３は情報端末１から画像６３とテキスト６５等を受信すると（Ｓ１７；受信手段）、画像６３とテキスト６５等を画像DB３０２に記録する（Ｓ１８；記録手段）。
【００５３】
Ｓ１５において画像６３にテキスト６５が埋め込まれていない場合（画像６３とテキスト６５を別々に記録した場合）、図４の画像データ領域５１に画像６３を記録し、テキスト６５や音声、撮影日時等は付加情報領域５２に付加情報として記録する。また、画像６３に対応する画像ＩＤを生成し、これも付加情報として付加情報領域５２に記録する。Ｓ１５において画像６３にテキスト６５が埋め込まれている場合は、付加情報としてテキスト６５が埋め込まれた画像６３を画像データ領域５１に記録し、その他の付加情報は付加情報領域５２に記録する。
【００５４】
画像DB３０２に記録された画像６３は、画像６３の送信元のユーザの情報端末１からだけでなく、他のユーザも各ユーザの情報端末１を用いて閲覧可能である。ただし、ユーザ設定により非公開とされている場合や、特定の友人にのみ公開するというように公開範囲を限定した設定がされている場合は、そのユーザの画像については、非公開または限定範囲内での公開とする。
【００５５】
（２−２．画像の閲覧とコメント）
図１０は画像共有システム１０における処理の流れを説明するフローチャートであり、画像の閲覧とコメントを行うまでの流れを示すフローチャートである。以下のフローに係る説明では、画像６３の投稿を行ったユーザとは別のユーザが画像６３の閲覧とコメントを行うものとし、特に言及の無い場合「ユーザ」とは当該別のユーザであり、「情報端末１」は画像６３の送信元のユーザの情報端末１とは異なる情報端末１である。ただし、画像６３の投稿を行ったユーザが以下説明する手順で自身の画像６３の閲覧やコメントを行うことも可能である。
【００５６】
ユーザは、情報端末１でアプリケーションプログラムを起動し（Ｓ２１）、ユーザＩＤ等を入力してサーバ３に接続し、画像６３の閲覧要求をサーバ３に送信する（Ｓ２２）。
【００５７】
サーバ３は、画像６３の閲覧要求を受信すると（Ｓ２３）、画像６３および画像６３に付加されたテキスト６５を画像DB３０２から読み出し、画像６３とテキスト６５を情報端末１に送信する（Ｓ２４；送信手段）。
【００５８】
Ｓ２４では、画像６３にテキスト６５が埋め込まれている場合はその画像６３を送信し、画像６３とテキスト６５が別々に（画像データ領域５１と付加情報領域５２のそれぞれに）記録されている場合は、画像６３とテキスト６５を別のデータとして送信する。なお、サーバ３は例えば接続中のユーザのユーザＩＤと送信した画像６３の画像ＩＤを一時的に記録する。
【００５９】
情報端末１は、サーバ３から画像６３とテキスト６５を受信すると（Ｓ２５；受信手段）、画像６３とテキスト６５を表示部１３に表示する（Ｓ２６）。図１１はこの時の表示画面の例であり、図１１（ａ）は画像６３にテキスト６５が埋め込まれている場合、図１１（ｂ）が画像６３とテキスト６５が別々に記録されている場合の例である。後者では画像６３の近傍にテキスト６５が表示される。
【００６０】
なお、上記の画面にスピーカーボタン（不図示）を設け、スピーカーボタンが選択されるとテキスト６５に対応する音声のデータをサーバ３から取得してこれを再生することなども可能である。これにより、画像６３の撮影時の生の臨場感をユーザ間で共有することが可能になる。
【００６１】
ユーザは、コメントを投稿する際、画面上のコメントボタン４７（図１１（ａ）、（ｂ）参照）を選択し、情報端末１の操作によりコメントを入力する。情報端末１は、入力されたコメントをサーバ３に送信する（Ｓ２７）。
【００６２】
サーバ３は、コメントを受信すると（Ｓ２８）、コメントDB３０３にコメントを記録する（Ｓ２９）。
【００６３】
図１２に示すように、コメントDB３０３では、画像６３の画像ＩＤやユーザＩＤ（ユーザＡ、ユーザＢ等）にコメント８０が紐づけて記録される。図１２の例では、画像６３に対し、ユーザＡから「白鳥、初めてみました。」とコメント８０が投稿され、ユーザＢから「△△池にもいますよ。」とコメント８０が投稿されている。
【００６４】
コメントは、音声により記録することも可能である。例えばユーザが図１１に示す画面でマイクボタン４２を選択すると、情報端末１は前記のＳ１３、Ｓ１４と同様の処理によって音声の入力とテキストへの変換を行い、これによりコメントの入力を行うことができる。以下の処理はＳ２７以降と同様である。
【００６５】
また、図９の例と同様、ユーザ（画像６３の送信元のユーザ）が投稿した複数の画像６３に対して一括して同じコメントを投稿することも可能である。例えば過去投稿された画像６３を図９と同様にサムネイル画像で一覧表示できるようにし、コメントを投稿する複数の画像６３を選択してＳ２７〜Ｓ２９の処理を行うことで、複数の画像６３に対し同じコメント８０を一括して投稿できる。
【００６６】
以上のようにコメントが投稿されると、次回画像６３を閲覧する際には、前記のＳ２４において画像６３に紐付くコメント８０も画像６３の付加情報としてユーザの情報端末１に送信され、図１３（ａ）、（ｂ）に示すようにコメント８０も表示される。図１３（ａ）は画像６３にテキスト６５が埋め込まれている場合の例であり、画像６３の下にコメント８０が表示される。図１３（ｂ）は画像６３とテキスト６５が別々に記録されている場合の例であり、画像６３の下にテキスト６５が表示され、その下にコメント８０が表示される。
【００６７】
以上説明したように、本実施形態によれば、ユーザは情報端末１にて撮影した画像６３に対し音声を入力することで入力された音声を変換して得られたテキスト６５を画像に付加でき、サーバは、このテキスト６５を画像６３に付加して他のユーザに提供できる。本実施形態では、入力された音声がテキスト６５に変換されて画像６３に付加されるためテキストの手入力が不要となり、ユーザは、撮影した瞬間の新鮮な感想や感動、臨場感をダイレクトに表したテキスト６５を画像６３に付加して、ネットワークを介して他のユーザに閲覧させることができる。
【００６８】
またこのテキスト６５は、画像６３の説明文や感想などとして情報端末１で画像６３とともに表示することが可能である。
【００６９】
また、情報端末１は、１度の音声入力により複数の画像６３に対し同じテキスト６５を付加できるので、例えば旅行中に撮影した複数の画像６３に対し「シンガポールへ行ってきました」など同じ説明等を付加できる。
【００７０】
しかしながら、本発明はこれに限らない。例えば本実施形態では情報端末１が音声をテキストに変換したが、音声からテキストへの変換処理はサーバ３側で行ってもよい。
【００７１】
この場合、前記のＳ１４の処理が省略され、Ｓ１５において画像６３と紐付けて音声のデータを情報端末１に記録し、Ｓ１６では画像６３の付加情報として音声のデータをサーバ３に送信する。サーバ３は音声のデータをテキストに変換して付加情報領域５２に記録する。サーバ３側でテキスト６５への変換を行うことにより、情報端末１の処理負荷が削減される。一方、第１の実施形態のように情報端末１側で音声のテキスト変換を行う場合、変換されたテキスト６５の誤り等をユーザが修正することが可能になる。
【００７２】
また、情報端末１は複数の画像６３とテキスト６５を所定のレイアウトで配置してレイアウトデータを作成し、これをＳ１５において記録することも可能である。
【００７３】
例えば図９で説明した画面の操作領域にレイアウトボタン（不図示）を設け、ユーザが複数の画像６３を選択してレイアウトボタンをタッチすると、レイアウト画面（不図示）を表示して当該画面上のユーザの操作に応じてレイアウトを選択し、各画像６３および各画像６３に付加されたテキスト６５を当該レイアウトで配置したレイアウトデータを作成できるようにしておく。図１４はこのレイアウトデータの例であり、複数の画像６３とテキスト６５がレイアウトに沿って配置されることで、複数の画像６３やテキスト６５をフォトブックのように１つの画面で表示することができる。
【００７４】
その後の処理は図５のＳ１６〜Ｓ１８および図１０で説明したもの（特にテキスト６５を画像６３に埋め込んだ場合として説明したもの）と略同様であり、サーバ３の画像DB３０２には上記レイアウトデータが記録され、当該レイアウトデータを他のユーザに閲覧可能とできる。
【００７５】
以上、添付図面を参照して、本発明に係る画像共有システム等の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７６】
１：情報端末
３、９：ＳＮＳサーバ
８：ネットワーク
１０：画像共有システム
１６：カメラ
１７：マイク
４０：画像表示領域
６３、７０：画像
６５：テキスト
８０：コメント
【図１】
2019053533.tif 000003
【図２】
2019053533.tif 000004
【図３】
2019053533.tif 000005
【図４】
2019053533.tif 000006
【図５】
2019053533.tif 000007
【図６】
2019053533.tif 000008
【図７】
2019053533.tif 000009
【図８】
2019053533.tif 000010
【図９】
2019053533.tif 000011
【図１０】
2019053533.tif 000012
【図１１】
2019053533.tif 000013
【図１２】
2019053533.tif 000014
【図１３】
2019053533.tif 000015
【図１４】
2019053533.tif 000016